(57)【要約】【課題】使用時に足の甲により甲カバーが持ちあげられた際に、各甲カバー片の相互の係合が外れにくく、甲カバーが分解することを防止する。【解決手段】一方の甲カバー片３の自由端１１側にこれから離れる方向に延び、切り起こした係合舌片１３を形成し、他方の甲カバー片４の自由端１２側に係合穴１４を設け、この係合舌片１３を、その先端を他方の甲カバー片４の自由１２端に向けて係合穴１４に挿入し、各甲カバー片３、４をその重ね合わせ部分の範囲が小さくなる方向外向きに移動させて係合舌片１３を係合穴１４に係合させることにより、使用時に足の甲で甲カバー２が持ち上げられ、甲カバー片３、４がその重ね合わせ部分の範囲が小さくなる方向外向きに移動しても、前記係合舌片１３が係合穴１４に差し込まれる方向に移動するため、各甲カバー片３、４相互の係合状態を維持される。【選択図】図１
2007000268.tif 000002
【特許請求の範囲】
【請求項１】
足を載せる足底部（１）と、前記足底部（１）の爪先寄りの両側部にそれぞれ設けられた甲カバー片（３）（４）と、前記各甲カバー片（３）（４）の自由端（１１）（１２）側に設けられた係合手段（５）とからなり、前記各甲カバー片（３）（４）を前記足底部（１）上に折り曲げ、これらの自由端（１１）（１２）側を部分的に重ね合わせ、この重ね合わせ部分で前記各甲カバー片（３）（４）を前記係合手段（５）により相互に係合して甲カバー（２）を形成する一枚のシートからなる簡易スリッパにおいて、
上記係合手段（５）は、一方の上記甲カバー片（３）の自由端（１１）側にこれから離れる方向に延び、切り起こして形成された係合舌片（１３）と、他方の上記甲カバー片（４）の自由端（１２）側に設けられる係合穴（１４）とから構成され、前記係合舌片（１３）をその先端を他方の前記甲カバー片（４）の自由端（１２）側に向けて前記係合穴（１４）に挿入し、前記各甲カバー片（３）（４）をその重ね合わせ部分の範囲が小さくなる方向外向きに移動させて前記係合舌片（１３）を前記係合穴（１４）に係合させたことを特徴とする簡易スリッパ。
【請求項２】
上記係合穴（１４）が、他方の上記甲カバー片（４）の自由端（１２）側にこれから離れる方向に延びた係合舌片（１５）を切り起こして形成され、他方の前記甲カバー片（４）の係合舌片（１５）を、その先端を一方の前記甲カバー片（３）の自由端（１１）側に向けて一方の前記甲カバー片（３）の係合舌片（１３）の上側に挿入し、前記各甲カバー片（３）（４）をその重ね合わせ部分の範囲が小さくなる方向外向きに移動させて前記各係合舌片（１３）（１５）を相互に係合させたことを特徴とする請求項１に記載の簡易スリッパ。
【請求項３】
足を載せる足底部（１）と、前記足底部（１）の爪先寄りの両側部にそれぞれ設けられた甲カバー片（３）（４）と、前記各甲カバー片（３）（４）の自由端（１１）（１２）側に設けられた係合手段（５）とからなり、前記各甲カバー片（３）（４）を前記足底部（１）上に折り曲げ、これらの自由端（１１）（１２）側を部分的に重ね合わせ、この重ね合わせ部分で前記各甲カバー片（３）（４）を前記係合手段（５）により相互に係合して甲カバー（２）を形成する一枚のシートからなる簡易スリッパにおいて、
前記係合手段（５）が、前記各甲カバー片（３）（４）にその自由端（１１）（１２）側に沿って所定の間隔で形成された複数の縫合穴（１７）（２０）と、前記各縫合穴（１７）（２０）に挿通される縫合帯（１８）とから構成され、前記各甲カバー片（３）（４）の縫合穴（１７）（２０）の位置を合わせ、前記縫合帯（１８）を複数の前記縫合穴（１７）（２０）にその列方向に内向き又は外向き交互に順次縫うように挿通したことを特徴とする簡易スリッパ。
【請求項４】
前記縫合帯（１８）が前記各甲カバー片（４）のいずれか一方の自由端（１２）側にその甲カバー片（４）に連続して一体に設けられたことを特徴とする請求項３に記載の簡易スリッパ。
【請求項５】
前記足底部（１）の中央部から踵側端部にわたってその長さ方向に断面山形の凸条（２２）を設けたことを特徴とする請求項１から４のいずれかに記載の簡易スリッパ。
【発明の詳細な説明】
【技術分野】
【０００１】
この発明は、旅客機、観光バス、新幹線などの列車などの乗客がその機内又は車内等において履く簡易スリッパに関するものである。
【背景技術】
【０００２】
従来から、旅客機、観光バス、新幹線などの列車などで、乗客に対して使い捨ての簡易スリッパを無償で提供している。この簡易スリッパは、コスト削減のため、紙や薄い布などの安価な材料を所定の形状にカットしてシート状に製作され、機内又は車内等を移動する際にこの簡易スリッパを組み立てて使用される（特許文献１）。
【０００３】
従来の簡易スリッパは、図１０（ａ）（ｂ）に示すように、足を載せる足底部３０と、足の甲が当たる甲カバー３１と、この甲カバー３１を形成する甲カバー片３２、３３と、一方の甲カバー片３２の自由端側に沿って設けられた係合穴３４と、他方の甲カバー片３３の自由端側から離れる方向に設けられた係合舌片３５とで構成される。
【０００４】
上記各甲カバー片３２、３３を足底部３０の上方に折り曲げ、各甲カバー片３２、３３を重ね合わせ、その重ね合わせ部分の範囲が大きくなる向きに係合舌片３５を係合穴３４にそれぞれ挿入することにより各甲カバー片３２、３３が係合し、足の甲を覆う甲カバー３１が形成される（図１０（ｃ）参照）。これにより、足の爪先を甲カバー３１に差し込み、足底部３０に足を載せて、この簡易スリッパを履くことができる。
【特許文献１】実開平４−４６８０１号公報
【発明の開示】
【発明が解決しようとする課題】
【０００５】
この簡易スリッパは、各甲カバー片３２、３３を重ね合わせ、これらの重ね合わせ部分の範囲が大きくなる方向内向きに係合舌片３５をそれぞれ係合穴３４に挿入して各甲カバー片３２、３３が係合されたものである。このため、使用時に甲カバー３１に足の甲が当たり、甲カバー３１が持ち上げられると、甲カバー３１を形成する各甲カバー片３２、３３がその重ね合わせ部分の範囲が小さくなる方向外向きに移動して、係合穴３４とフック状に係合した係合舌片３５が抜ける場合があり、各甲カバー片３２、３３相互の係合が外れて、甲カバー３１が分解し易いという問題があった。
【０００６】
そこで、この発明は、使用時に足の甲で甲カバーが持ち上げられた際に、各甲カバー片の相互の係合が外れにくく、甲カバーが分解することを防止することを課題とする。
【課題を解決するための手段】
【０００７】
上記の課題を解決するために、この発明では、一方の甲カバー片の自由端側にこれから離れる方向に延び、切り起こした係合舌片をその先端を足底部側に向けて形成した構成としたのである。
【０００８】
このようにすれば、使用時に足の甲で甲カバーが持ち上げられ、各甲カバー片がその重ね合わせ部分の範囲が小さくなる方向外向きに移動しても、上記係合舌片が上記係合穴にさらに差し込まれる方向に移動するため、各甲カバー片相互の係合状態が維持される。
【０００９】
具体例としては、足を載せる足底部と、前記足底部の爪先寄りの両側部にそれぞれ設けられた甲カバー片と、前記各甲カバー片の自由端側に設けられた係合手段とからなり、前記各甲カバー片を前記足底部上に折り曲げ、これらの自由端側を部分的に重ね合わせ、この重ね合わせ部分で前記各甲カバー片を前記係合手段により相互に係合して甲カバーを形成する一枚のシートからなる簡易スリッパにおいて、上記係合手段は、一方の上記甲カバー片の自由端側にこれから離れる方向に延び、切り起こして形成された係合舌片と、他方の上記甲カバー片の自由端側に設けられる係合穴とから構成され、前記係合舌片をその先端を他方の前記甲カバー片の自由端側に向けて前記係合穴に挿入し、前記各甲カバー片をその重ね合わせ部分の範囲が小さくなる方向外向きに移動させて前記係合舌片を前記係合穴に係合させた構成を採用できる。
【００１０】
この構成において、上記係合穴が、他方の上記甲カバー片の自由端側にこれから離れる方向に延びた係合舌片を切り起こして形成され、他方の前記甲カバー片の係合舌片を、その先端を一方の前記甲カバー片の自由端側に向けて一方の前記甲カバー片の係合舌片の上側に挿入し、前記各甲カバー片をその重ね合わせ部分の範囲が小さくなる方向外向きに移動させて前記各係合舌片を相互に係合させた構成とすることができる。
【００１１】
このようにすると、上記係合穴を他方の上記甲カバー片の係合舌片を切り起こして形成したために、この係合穴に一方の上記甲カバー片の係合舌片が差し込みやすくなる上に、他方の甲カバー片の係合舌片も一方の甲カバー片の係合舌片の切り起し穴に入って係合するため、両甲カバー片の係合状態がさらに強固となる。
【００１２】
また、この発明は、上記各甲カバー片にその自由端側に沿って所定の間隔で複数の縫合穴を設け、前記各縫合穴に挿通する縫合帯を設け、各甲カバー片の縫合穴の位置をそれぞれ合わせ、前記縫合帯を複数の縫合穴にその列方向に内向き又は外向き交互に順次縫うように挿通したのである。
【００１３】
このようにすれば、前記各甲カバー片が縫合帯により縫合されて一体化し、使用時に足の甲で甲カバーが持ち上げられ、各甲カバー片がその重ね合わせ部分の範囲が小さくなる方向外向きに移動しても、その縫合により各甲カバー片相互の係合状態が維持される。
【００１４】
この具体例としては、足を載せる足底部と、前記足底部の爪先寄りの両側部にそれぞれ設けられた甲カバー片と、前記各甲カバー片の自由端側に設けられた係合手段とからなり、前記各甲カバー片を前記足底部上に折り曲げこれらの自由端側を部分的に重ね合わせ、この重ね合わせ部分で前記各甲カバー片を前記係合手段により相互に係合して甲カバーを形成する一枚のシートからなる簡易スリッパにおいて、前記係合手段が、前記各甲カバー片にその自由端側に沿って所定の間隔で形成された複数の縫合穴と、前記各縫合穴に挿通される縫合帯とから構成され、前記各甲カバー片の縫合穴の位置を合わせ、前記縫合帯を複数の前記縫合穴にその列方向に内向き又は外向き交互に順次縫うように挿通した構成を採用できる。
【００１５】
この構成において、縫合帯を上記各甲カバー片のいずれか一方の自由端側にその甲カバー片に連続して一体に設ければ、前記縫合帯の紛失を防止できる。
【００１６】
上記の各構成において、上記足底部の中央部から踵側端部にわたってその長さ方向に断面山形の凸条を設ければ、前記足底部がその長さ方向において折れ曲がりにくくなって、履き心地の低下を抑制することができる。
【発明の効果】
【００１７】
この発明は、以上のようにしたので、係合舌片が係合穴から抜けにくくなり、各甲カバー片により形成される甲カバーが分解するのを防止できる。
【発明を実施するための最良の形態】
【００１８】
以下、この発明の実施形態を添付図面に基づいて説明する。
この発明の第１実施形態の簡易スリッパを図１に示す。この実施形態の簡易スリッパは、一枚の紙から打ち抜いたものであり、図１（ａ）に示すように、足を載せる足底部１と、足の甲が当たる甲カバー２と、この甲カバー２を形成する甲カバー片３、４と、この甲カバー片３、４を互いに係合させる係合手段５とからなり、前記甲カバー２の履き口６から足を入れて、足底部１に足を載せて使用するものである。
【００１９】
上記足底部１は、その爪先寄りの上方に足の甲を覆う形状に湾曲して形成した甲カバー２を有する。この甲カバー２には、足を入れる履き口６と、足の爪先部分を開放させた爪先口７とが設けられ、その甲カバー２の中央部分において、甲カバー２を形成する甲カバー片３、４が係合手段５により互いに係合される。
【００２０】
この甲カバー２を形成する甲カバー片３、４は、図１（ｂ）に示すように、上記足底部１の爪先寄りの両側に、足底部１を挟んで外向きに延びて形成されたものであり、前記足底部１と一体に接続する接続端８、９と、足底部１から離れた自由端１１、１２を有する。
【００２１】
この各自由端１１、１２は、前記爪先口７側の端部から履き口６側の端部に向かって、外向きに傾斜して形成される。これにより、各甲カバー片３、４を上方に折り曲げて甲カバー２を形成すると、甲カバー２の履き口６が爪先口７よりも大きく形成され、各自由端１１、１２の長さａが甲カバー２中央部分の履き口６から爪先口７までの長さに形成される。
【００２２】
上記各甲カバー片３、４に設けられる係合手段５は、一方の甲カバー片３にその自由端１１に沿って設けられた係合舌片１３と、他方の甲カバー片４の自由端１２に沿って設けられた係合穴１４とから構成される。
なお、上記の係合手段５である係合舌片１３および係合穴１４の数は、図１（ａ）に示すように、それぞれ３個ずつに設けられたものであるが、これに限らず、前記各甲カバー片３、４の係合状態が維持できる限りにおいて、２個、４個、５個・・等と任意である。
【００２３】
一方の甲カバー片３に設けられる各係合舌片１３は、その自由端１１に沿って設けられ、自由端１１から離れる方向に延び、切り起こして形成され、その先端を山形に形成したものである。この各係合舌片１３のうち、甲カバー片３の爪先口７側の係合舌片１３を履き口６側のものよりもその切り込み長さを短く形成したことにより、係合舌片１３が係合穴１４に差し込みやすくなる。
【００２４】
他方の前記甲カバー片４に設けられる各係合穴１４は、その自由端１２と平行に設けられるため、図１（ｃ）に示すように、前記各係合舌片１３を、その先端を他方の甲カバー片４の自由端１２側に向けて自由端１１側端部までそれぞれに対応する各係合穴１４に差し込むことができる。なお、係合穴１４は、図示のスリット状に限らず、単なる切り目を含み、要は、係合舌片１３が挿入し得て抜け出ない形状であれば、任意である。
【００２５】
この実施形態は以上のような構成であり、その組み立て手順を図２に基づいて説明する。
最初に、図２（ａ）に示すように、各甲カバー片３、４を足底部１の上に折り曲げ、一方の甲カバー片３をその係合舌片１３の先端が他方の甲カバー片４の係合穴１４に近づけて、各甲カバー片３、４の自由端１１、１２側を部分的に重ね合わせる。
【００２６】
次に、甲カバー片３の係合舌片１３を少し押し下げ、各甲カバー片３、４をその重ね合わせ部分の範囲が小さくなる方向外向きに移動させて、図２（ｂ）に示すように、他方の甲カバー片４の係合穴１４に前記係合舌片１３の先端部分を挿入する。
【００２７】
この係合舌片１３の先端部分が係合穴１４に挿入した状態で、さらに、各甲カバー片３、４をその重ね合わせ部分の範囲が小さくなる方向外向きに移動させて、他方の甲カバー片４の各係合穴１４にそれぞれ対応する係合舌片１３の全体が挿入される。これにより、各甲カバー片３、４の相互が係合して、前記足底部１の爪先寄りの上方に足の甲が当たる前記甲カバー２が形成される。
【００２８】
このように組み立てられる実施形態の簡易スリッパは、甲カバー２をその中央部分の履き口６から爪先口７までが長さａに仕上がるものである。また、足の甲が甲カバー２に当って持ち上げられ、各甲カバー片３、４がその重ね合わせ部分の範囲が小さくなる方向外向きに移動しようとしても、係合舌片１３が係合穴１４にさらに差し込まれる方向に移動するため、係合舌片１３が係合穴１４から抜けにくくなり、各甲カバー片３、４により形成される甲カバー２が分解するのを防止できる。
【００２９】
第１実施形態の変形例１を図３に示す。この場合の実施形態は、同図（ａ）に示すように、前記甲カバー２の側面部分において係合手段５により甲カバー片３と甲カバー片４が相互に係合される点で前述した実施形態の場合と相違し、その他の構成は前述した第１実施形態の場合と同様である。
【００３０】
この一方の上記甲カバー片３は、これを足底部１の上に折り曲げて上記カバー２を形成するために、図３（ｂ）に示すように、その自由端１１が他方の甲カバー片４の接続端９と同じ長さに設定され、その中央部分の履き口６から爪先口７までの長さｂが、前述した実施形態の場合の甲カバー片３の自由端１１の長さａと等しくなるように設定される。
【００３１】
また、第１実施形態の変形例２を図４に示す。この場合の実施形態は、同図（ａ）に示すように、甲カバー２中央の履き口６から爪先口７までの長さｃが、前述した第１実施形態の簡易スリッパの甲カバー２の長さａと比較して短く形成されたものである（図１（ａ）参照）。その他の構成は、前述した第１実施形態の場合と同様である。
【００３２】
さらに、第１実施形態の変形例３を図５に示す。この場合の実施形態は、同図（ａ）に示すように、甲カバー２中央の履き口６から爪先口７までの長さｄが、前述した変形例１の実施形態の甲カバー２の長さｂと比較して短く形成されたものである（図３（ａ）参照）。その他の構成は、前述した変形例１の実施形態の場合と同様である。
【００３３】
第１実施形態の変形例４を図６に示す。この場合の実施形態は、同図（ａ）に示すように、他方の上記甲カバー片４の係合穴１４が、他方の甲カバー片４の自由端１２側にこれから離れる方向に延びた係合舌片１５を切り起こして形成され、各甲カバー片３、４の係合舌片１３、１５の先端部分を半円形に形成したものである。また、図６（ｂ）に示すように、一方の上記甲カバー片３の自由端１１の長さｅを、第１実施形態の場合での自由端１１の長さａと等しくなるように設定したものである。
この各甲カバー片３、４の係合舌片１３、１５の先端を互いに反対向きとなるように、一方の甲カバー片３の係合舌片１３を他方の甲カバー片の係合舌片１５の下側に挿入して、各甲カバー片３、４を相互に係合する（同図（ｃ）参照）。
また、その他の構成は前述した第１実施形態の場合と同様である。
【００３４】
また、この実施形態における各甲カバー片３、４に係合舌片１３、１５をそれぞれ形成する点は、図３から図５に示した例において、その係合穴１４を係合舌片１５によって形成することにより適用できる。
【００３５】
この発明の第２実施形態の簡易スリッパを図７に示す。この実施形態の簡易スリッパは、図７（ａ）に示すように、各甲カバー片３、４に設けられた係合手段５が前述した第１実施形態の場合と異なるものである。その他の構成は、第１実施形態の変形例２の場合と同様であり、前述した第１実施形態と同一部分には、同一符号を付して説明を省略する。
【００３６】
すなわち、各甲カバー片３、４に設けられた係合手段５は、前記甲カバー片３の自由端１１に沿って所定の間隔で設けられた複数の縫合穴１７と、前記甲カバー片４の自由端１２に沿って所定の間隔で設けられる複数の縫合穴２０と、前記甲カバー片４の自由端１２寄りの履き口６の端部に一体に設けられる縫合帯１８とから構成される。
【００３７】
この一方の上記甲カバー片３は、その中央部分の履き口６から爪先口７までの長さｆが、前述した第１実施形態の場合の甲カバー片３の自由端１１の長さａと等しくなるように設定される。
【００３８】
上記甲カバー片３に設けられる縫合穴１７は、図７（ｂ）に示すように、前記自由端１１に沿って所定の間隔で複数設けられたものである。前記甲カバー片３の履き口６側端部の自由端１１寄りに切り欠き１９が設けられる。甲カバー片３を上記足底部１上に折り返し、甲カバー片４に重ね合わせた際に、この甲カバー片３の縫合穴１７の位置が一致する縫合穴２０が甲カバー片４にもそれぞれ設けられる。
【００３９】
前記甲カバー片４の縫合帯１８は、甲カバー片４の履き口６側端部から足底部１の踵方向に向かって、これと一体に形成され、甲カバー片４との連結部分に縫合帯１８の側端に沿って切り込み２１が設けられる。この切り込み２１を設けたことにより、縫合帯１８を甲カバー片３の切り欠き１９に沿って折り返すことができる。なお、前記縫合帯１８を甲カバー片４に連続せずに、別物とすることができる。
【００４０】
この実施形態は以上のような構成であり、その組み立て手順を図８に基づいて説明する。
最初に、図８（ａ）に示すように、甲カバー片３を足底部１の上に折り曲げ、甲カバー片４を上向きに折り曲げ、甲カバー片３を甲カバー片４の外側に重ね合わせて、甲カバー片３の縫合穴１７と甲カバー片４の縫合穴２０の位置とを一致させる。
【００４１】
次に、図８（ｂ）に示すように、甲カバー片４の縫合帯１８を、甲カバー片３の切り欠き１９に最も近い縫合穴１７に内向きに挿通し、次に近い縫合穴１７に外向きに挿通する。このようにして、前記縫合帯１８を切り欠き１９に近い縫合穴１７から遠いものへと順次縫うように挿通して、甲カバー片３と甲カバー片４とを縫い合わせる（図８（ｃ）参照）。
【００４２】
全ての縫合穴１７に前記縫合帯１８を挿通した後、縫合帯１８を甲カバー片３の切り欠き１９に沿って折り返して、縫合帯１８が縫合穴１７から抜けないように位置止めする（図８（ｄ）参照）。これにより、各甲カバー片３、４の相互が縫合され、前記足底部１の爪先寄りの上側に足の甲が当たる前記甲カバー２が形成される。
【００４３】
以上のように、組み立てられる第２実施形態の簡易スリッパは、甲カバー２をその中央部分の履き口６から爪先口７までが長さｆに仕上がるものである。また、使用時に足の甲により甲カバー２が持ち上げられる向きの力が掛かっても、縫合帯１８により甲カバー片３と甲カバー片４とが相互に縫合されているため、甲カバー２が分解するのを防止できる。
【００４４】
なお、この第２実施形態における甲カバー片３の縫合穴１７および甲カバー片４の縫合穴２０の数は３個ずつ設けられているが、３個に限られるものではなく、各甲カバー片３、４の縫合状態が維持できる限りにおいて、例えば、４個、５個などと任意である。
【００４５】
また、この実施形態における各甲カバー片３、４にそれぞれ縫合穴１７、２０を設け、縫合帯１８により縫合する点は、図１、図４、図５に示した例において、その各甲カバー３、４にそれぞれ縫合穴１７、２０を設け、縫合帯１８により縫合することにより適用できる。その他の構成は前述した第１実施形態の場合と同様である
【００４６】
また、前述した各実施形態において、図９（ａ）に示すように、足底部１の中央部分から踵側端部にわたって、その長さ方向に断面山形の凸条２２を設けてもよい（図９（ｂ）参照）。これにより、簡易スリッパの足底部１がその長さ方向において折れ曲がるのを防ぐことができる。このため、履き心地の低下を抑制することができる。その凸条の長さは、その効果を得ることができる限りにおいて、任意である。
【図面の簡単な説明】
【００４７】
【図１】（ａ）第１実施形態の簡易スリッパを示す斜視図、（ｂ）同上の簡易スリッパの展開図、（ｃ）同上の簡易スリッパの係合手段を示す一部拡大図
【図２】（ａ）第１実施形態の簡易スリッパの各甲カバー片を重ね合わせた状態を示す簡略図、（ｂ）同上の係合舌片を係合穴に挿入した状態を示す簡略図、（ｃ）同上の各甲カバー片が相互に係合した状態を示す簡略図
【図３】（ａ）同上の変形例１の実施形態の簡易スリッパを示す斜視図、（ｂ）（ａ）の簡易スリッパの展開図
【図４】（ａ）同上の変形例２の実施形態の簡易スリッパを示す斜視図、（ｂ）（ａ）の簡易スリッパの展開図
【図５】（ａ）同上の変形例３の実施形態の簡易スリッパを示す斜視図、（ｂ）（ａ）の簡易スリッパの展開図
【図６】（ａ）同上の変形例４の実施形態の簡易スリッパを示す斜視図、（ｂ）（ａ）の簡易スリッパの展開図、（ｃ）（ａ）の簡易スリッパの係合手段を示す一部拡大図
【図７】（ａ）第２実施形態の簡易スリッパを示す斜視図、（ｂ）同上の簡易スリッパの展開図、（ｃ）同上の簡易スリッパの断面図
【図８】（ａ）同上の簡易スリッパの各甲カバー片を重ね合わせた状態を示す簡略図、（ｂ）（ｃ）同上の縫合帯が縫合穴に挿入した状態を示す簡略図、（ｄ）同上の各甲カバー片が相互に係合した状態を示す簡略図
【図９】（ａ）第１実施形態の簡易スリッパの凸条を設けた状態を示す斜視図、（ｂ）同上の凸条を形成した簡易スリッパを示す断面図
【図１０】（ａ）従来の実施形態の簡易スリッパを示す斜視図、（ｂ）同上の簡易スリッパの展開図、（ｃ）同上の簡易スリッパの断面図
【符号の説明】
【００４８】
１  足底部
２  甲カバー
３  甲カバー片
４  甲カバー片
５  係合手段
６  履き口
７  爪先口
８  接続端
９  接続端
１１  自由端
１２  自由端
１３  係合舌片
１４  係合穴
１５  係合舌片
１７  縫合穴
１８  縫合帯
１９  切り欠き
２０  縫合穴
２１  切り込み
２２  凸条
３０  足底部
３１  甲カバー
３２  甲カバー片
３３  甲カバー片
３４  係合穴
３５  係合舌片
【図１】
2007000268.tif 000003
【図２】
2007000268.tif 000004
【図３】
2007000268.tif 000005
【図４】
2007000268.tif 000006
【図５】
2007000268.tif 000007
【図６】
2007000268.tif 000008
【図７】
2007000268.tif 000009
【図８】
2007000268.tif 000010
【図９】
2007000268.tif 000011
【図１０】
2007000268.tif 000012